(57)【特許請求の範囲】
【請求項１】
照明器具を支持する支持装置であって、
プレートと、鍔部を含む枠体と、前記プレートと前記枠体とを接続する接続部とを備え、
前記プレートは、本体部を含み、
前記本体部は、板状であり、外縁と、内縁とを有し、
前記プレートは、複数の第１凸部と、複数の第２凸部とをさらに含み、
前記第１凸部は、前記鍔部の側に向かって突出し、
前記第２凸部は、前記本体部の前記外縁と前記第１凸部との間に配置され、前記鍔部の側に向かって突出し、
前記本体部と前記第２凸部の先端との間隔は、前記本体部と前記第１凸部の先端との間隔よりも短く、
前記プレートを第１取付孔に位置決めするときは、前記複数の第１凸部が前記第１取付孔に入り、前記第１取付孔の径方向への前記プレートの移動が、前記複数の第１凸部によって規制されて、前記複数の第１凸部によって前記プレートが前記第１取付孔に位置決めされ、
前記プレートを前記第１取付孔よりも大きな第２取付孔に位置決めするときは、前記複数の第２凸部が前記第２取付孔に入り、前記第２取付孔の径方向への前記プレートの移動が、前記複数の第２凸部よって規制されて、前記複数の第２凸部によって前記プレートが前記第２取付孔に位置決めされる、支持装置。
【請求項２】
前記プレートは、前記接続部を介して前記枠体を支持する支持部をさらに含み、前記支持部は、第１切欠部を含み、
前記接続部は、前記枠体から延びる棒状部材と、前記棒状部材に螺合している螺合部材とを含み、
前記棒状部材の長手方向に沿った側部は、前記長手方向に交差する方向から前記第１切欠部に係合し、
前記螺合部材の両端のうち、前記棒状部材の先端から遠い端は、前記支持部に当接する、請求項１に記載の支持装置。
【請求項３】
前記第１切欠部は、
前記棒状部材が係合する係合縁と、
互いに対向する一対の対向縁と
を含み、
前記一対の対向縁は、それぞれ、前記係合縁の両端から延びており、
前記支持部は、少なくとも１つの突出部をさらに含み、
前記突出部は、
前記鍔部から離れるように、前記棒状部材の前記長手方向に沿って、前記支持部から突出しており、
前記一対の対向縁のうちの一方の対向縁に隣接している、請求項２に記載の支持装置。
【請求項４】
前記支持部は、ヘッド部をさらに含み、
前記ヘッド部は、
前記係合縁から離れるように、前記棒状部材の前記長手方向に交差する前記方向に沿って、前記突出部の先端から延びている、請求項３に記載の支持装置。
【請求項５】
前記プレートは、前記支持部に隣接する第２切欠部をさらに含み、
前記第２切欠部は、前記本体部の前記内縁から前記外縁に向かって前記本体部に形成され、
前記第１切欠部は、前記第２切欠部の側に開口している、請求項２から請求項３のいずれか１項に記載の支持装置。
【請求項６】
前記枠体は、前記鍔部から立設される筒部をさらに含み、
前記棒状部材は、前記筒部の内面よりも、前記筒部の中心軸線から離れた規定位置から延びるとともに、前記第１凸部よりも前記中心軸線に近い前記規定位置から延びている、請求項２から請求項５のいずれか１項に記載の支持装置。
【請求項７】
前記枠体は、前記鍔部から立設される筒部をさらに含み、
前記鍔部は、凹部を含み、
前記凹部は、前記鍔部の一対の主面のうち、前記プレートの側の主面の反対の主面から、前記筒部の基端に向かって凹んでいる、請求項１から請求項５のいずれか１項に記載の支持装置。
【請求項８】
前記鍔部の外縁は、四角形状であり、
前記枠体は、前記鍔部から立設される円筒状の筒部をさらに含み、
前記鍔部は、隆起部を含み、
前記隆起部は、前記鍔部の一対の主面のうち、前記プレートの側の主面から、前記筒部の外周面に沿って隆起しており、
前記隆起部の外縁は、円形状である、請求項１から請求項５のいずれか１項に記載の支持装置。
【請求項９】
前記鍔部は、凸縁部をさらに含み、
前記凸縁部は、前記鍔部の外縁に沿って形成され、前記鍔部の一対の主面のうち、前記プレートの側の主面から突出している、請求項１から請求項８のいずれか１項に記載の支持装置。
【請求項１０】
前記本体部は、一対の端縁をさらに有し、
前記一対の端縁のうちの一方の端縁は、前記外縁の両端のうちの一方端から、前記内縁の両端のうちの一方端まで延びており、
前記一対の端縁のうちの他方の端縁は、前記外縁の他方端から、前記内縁の他方端まで延びており、
前記一対の端縁は、互いに対向するとともに離間しており、
前記一方の端縁は、前記他方の端縁に向かって凸状に湾曲し、
前記他方の端縁は、前記一方の端縁に向かって凸状に湾曲している、請求項１から請求項９のいずれか１項に記載の支持装置。
【発明の詳細な説明】
【技術分野】
【０００１】
本発明は、照明器具を支持する支持装置に関する。
【背景技術】
【０００２】
特許文献１に記載されたリニューアルプレートは、照明器具を支持する。具体的には、リニューアルプレートは、取付板と枠体とを有する。取付板は、挿通孔を有し、天井板の上面に配置される。枠体は、挿通孔を有し、天井板の下面に配置される。天井板は埋設孔を有する。埋設孔が取付板の挿通孔と枠体の挿通孔との間に位置するように、取付板と枠体とは天井板を挟む。そして、照明器具は、取付板の挿通孔と枠体の挿通孔とに挿通される。その結果、照明器具の取付ばねの弾性力によって、照明器具がリニューアルプレートに支持される。
【０００３】
リニューアルプレートでは、取付板は次のようにして位置決めされる。すなわち、取付板は、複数の位置決め突起を有する。複数の位置決め突起は、埋設孔の内径に対応した位置に配置され、取付板の下方に向けて突出している。従って、複数の位置決め突起は、埋設孔の内周面に係合する。その結果、取付板は、埋設孔の所定位置に位置決めされる。
【先行技術文献】
【特許文献】
【０００４】
【特許文献１】特許第５６２３２２０号公報
【発明の概要】
【発明が解決しようとする課題】
【０００５】
しかしながら、特許文献１に記載されたリニューアルプレートでは、位置決め突起は、特定の内径を有する埋設孔に対応して配置されている。従って、ある埋設孔の内径が特定の内径よりも大きい場合、位置決め突起と埋設孔の内周面との間隔が大きくなる。その結果、取付板を適切に位置決めすることは困難である。一方、ある埋設孔の内径が特定の内径よりも小さい場合、位置決め突起を埋設孔に進入させることができない。その結果、取付板を適切に位置決めすることは困難である。
【０００６】
すなわち、取付板（プレート）を埋設孔（取付孔）に適切に位置決めするためには、埋設孔の制約が大きい。
【０００７】
本発明は上記課題に鑑みてなされたものであり、その目的は、取付孔の制約が大きくなることを抑制しつつ、プレートを取付孔に適切に位置決めできる支持装置を提供することにある。
【課題を解決するための手段】
【０００８】
本願に開示する支持装置は、照明器具を支持する。支持装置は、プレートと、鍔部を含む枠体と、接続部とを備える。前記プレートは、本体部を含む。前記本体部は、板状であり、外縁と、内縁とを有する。前記プレートは、複数の第１凸部と、複数の第２凸部とをさらに含む。前記第１凸部は、前記鍔部の側に向かって突出している。前記第２凸部は、前記本体部の前記外縁と前記第１凸部との間に配置され、前記鍔部の側に向かって突出している。前記本体部と前記第２凸部の先端との間隔は、前記本体部と前記第１凸部の先端との間隔よりも短い。前記プレートを第１取付孔に位置決めするときは、前記複数の第１凸部が前記第１取付孔に入り、前記第１取付孔の径方向への前記プレートの移動が、前記複数の第１凸部によって規制されて、前記複数の第１凸部によって前記プレートが前記第１取付孔に位置決めされる。前記プレートを前記第１取付孔よりも大きな第２取付孔に位置決めするときは、前記複数の第２凸部が前記第２取付孔に入り、前記第２取付孔の径方向への前記プレートの移動が、前記複数の第２凸部よって規制されて、前記複数の第２凸部によって前記プレートが前記第２取付孔に位置決めされる。
【０００９】
本願に開示する支持装置において、前記プレートは、前記接続部を介して前記枠体を支持する支持部をさらに含み、前記支持部は、第１切欠部を含むことが好ましい。前記接続部は、前記枠体から延びる棒状部材と、前記棒状部材に螺合している螺合部材とを含むことが好ましい。前記棒状部材の長手方向に沿った側部は、前記長手方向に交差する方向から前記第１切欠部に係合することが好ましい。前記螺合部材の両端のうち、前記棒状部材の先端から遠い端は、前記支持部に当接することが好ましい。
【００１０】
本願に開示する支持装置において、前記第１切欠部は、前記棒状部材が係合する係合縁と、互いに対向する一対の対向縁とを含むことが好ましい。前記一対の対向縁は、それぞれ、前記係合縁の両端から延びていることが好ましい。前記支持部は、少なくとも１つの突出部をさらに含むことが好ましい。前記突出部は、前記鍔部から離れるように、前記棒状部材の前記長手方向に沿って、前記支持部から突出しており、前記一対の対向縁のうちの一方の対向縁に隣接していることが好ましい。
【００１１】
本願に開示する支持装置において、前記支持部は、ヘッド部をさらに含むことが好ましい。前記ヘッド部は、前記係合縁から離れるように、前記棒状部材の前記長手方向に交差する前記方向に沿って、前記突出部の先端から延びていることが好ましい。
【００１２】
本願に開示する支持装置において、前記プレートは、前記支持部に隣接する第２切欠部をさらに含むことが好ましい。前記第２切欠部は、前記本体部の前記内縁から前記外縁に向かって前記本体部に形成されることが好ましい。前記第１切欠部は、前記第２切欠部の側に開口していることが好ましい。
【００１３】
本願に開示する支持装置において、前記枠体は、前記鍔部から立設される筒部をさらに含むことが好ましい。前記棒状部材は、前記筒部の内面よりも、前記筒部の中心軸線から離れた規定位置から延びるとともに、前記第１凸部よりも前記中心軸線に近い前記規定位置から延びていることが好ましい。
【００１４】
本願に開示する支持装置において、前記枠体は、前記鍔部から立設される筒部をさらに含むことが好ましい。前記鍔部は、凹部を含むことが好ましい。前記凹部は、前記鍔部の一対の主面のうち、前記プレートの側の主面の反対の主面から、前記筒部の基端に向かって凹んでいることが好ましい。
【００１５】
本願に開示する支持装置において、前記鍔部の外縁は、四角形状であり、前記枠体は、前記鍔部から立設される円筒状の筒部をさらに含むことが好ましい。前記鍔部は、隆起部を含むことが好ましい。前記隆起部は、前記鍔部の一対の主面のうち、前記プレートの側の主面から、前記筒部の外周面に沿って隆起していることが好ましい。前記隆起部の外縁は、円形状であることが好ましい。
【００１６】
本願に開示する支持装置において、前記鍔部は、凸縁部をさらに含むことが好ましい。前記凸縁部は、前記鍔部の外縁に沿って形成され、前記鍔部の一対の主面のうち、前記プレートの側の主面から突出していることが好ましい。
【００１７】
本願に開示する支持装置において、前記本体部は、一対の端縁をさらに有することが好ましい。前記一対の端縁のうちの一方の端縁は、前記外縁の両端のうちの一方端から、前記内縁の両端のうちの一方端まで延びていることが好ましい。前記一対の端縁のうちの他方の端縁は、前記外縁の他方端から、前記内縁の他方端まで延びていることが好ましい。前記一対の端縁は、互いに対向するとともに離間していることが好ましい。前記一方の端縁は、前記他方の端縁に向かって凸状に湾曲し、前記他方の端縁は、前記一方の端縁に向かって凸状に湾曲していることが好ましい。
【発明の効果】
【００１８】
本発明によれば、取付孔の制約が大きくなることを抑制しつつ、プレートを取付孔に適切に位置決めできる。
【図面の簡単な説明】
【００１９】
【図１】本発明の実施形態１に係る支持装置を示す斜視図である。
【図２】実施形態１に係るプレートを下方から見たときの斜視図である。
【図３】実施形態１に係るプレートを下方から見たときの平面図である。
【図４】実施形態１に係る第１凸部及び第２凸部を示す側面図である。
【図５】（ａ）実施形態１に係る第１凸部により位置決めされたプレートを示す断面図である。（ｂ）実施形態１に係る第２凸部により位置決めされたプレートを示す断面図である。
【図６】実施形態１に係るプレートを上方から見たときの斜視図である。
【図７】（ａ）実施形態１に係る支持部を中心軸線の側からみたときの側面図である。（ｂ）実施形態１に係る支持部を上方から見たときの平面図である。
【図８】実施形態１に係る枠体及び接続部を上方から見たときの斜視図である。
【図９】（ａ）実施形態１に係る枠体を示す断面図である。（ｂ）実施形態１に係る枠体を下方から見たときの平面図である。
【図１０】実施形態１に係る支持装置を上方から見たときの斜視図である。
【図１１】実施形態１に係る支持装置を示す断面図である。
【図１２】実施形態１に係る支持装置を上方から見たときの平面図である。
【図１３】実施形態１に係る支持装置及び照明器具を示す断面図である。
【図１４】（ａ）（ｂ）実施形態１に係る支持装置を取付板に取り付ける手順を示す図である。
【図１５】（ａ）（ｂ）実施形態１に係る支持装置を取付板に取り付ける手順を示す図である。
【図１６】（ａ）（ｂ）実施形態１に係る支持装置を取付板に取り付ける手順を示す図である。
【図１７】（ａ）実施形態１の変形例に係る支持装置のパッキンを示す斜視図である。（ｂ）図１７（ａ）のＸＶＩＩ−ＸＶＩＩ線に沿った断面図である。
【図１８】（ａ）本発明の実施形態２に係る支持装置のプレートを上方から見たときの斜視図である。（ｂ）実施形態２に係る支持部を上方から見たときの平面図である。
【図１９】本発明の実施形態３に係る支持装置の枠体を上方から見たときの斜視図である。
【図２０】実施形態３に係る枠体を下方から見たときの斜視図である。
【図２１】本発明の実施形態４に係る支持装置のプレートを上方から見たときの斜視図である。
【発明を実施するための形態】
【００２０】
以下、本発明の実施形態について、図面を参照しながら説明する。なお、図中、同一または相当部分については同一の参照符号を付して説明を繰り返さない。また、本明細書において、三次元直交座標系のＸ軸及びＹ軸は水平線に平行であり、Ｚ軸は鉛直線に平行である。Ｚ軸の正方向は、重力方向と反対方向であり、上方向を示し、Ｚ軸の負方向は、重力方向であり、下方向を示す。
【００２１】
（実施形態１）
図１は、本発明の実施形態１に係る支持装置１を示す斜視図である。図１に示すように、支持装置１は、天井板のような取付板Ａに取り付けられる。そして、支持装置１は照明器具を支持する。つまり、照明器具は支持装置１に取り付けられる。その結果、照明器具は、支持装置１を介して取付板Ａに取り付けられる。なお、照明器具は、例えば、ダウンライトである。
【００２２】
具体的には、支持装置１は、プレート３と、枠体５と、複数の接続部７（実施形態１では、２つの接続部７）とを備える。プレート３は、複数の支持部１５（実施形態１では、２つの支持部１５）を含む。枠体５は、鍔部２１と、筒部２２とを含む。接続部７は、棒状部材としてのボルト４１と、螺合部材としてのナット４２とを含む。プレート３、枠体５、及び接続部７は、例えば、金属製である。
【００２３】
プレート３は取付板Ａの上面ＡＵに配置される。接続部７は枠体５に固定される。そして、接続部７及び筒部２２が取付板Ａの取付孔Ｂを貫通するように、枠体５及び接続部７は下面ＡＬ側から上方向Ｄ１に移動される。なお、取付孔Ｂは略円形状である。さらに、枠体５及び接続部７は回転方向Ｄ２に回転される。さらに、枠体５及び接続部７は自重により下方向Ｄ３に移動される。そして、接続部７が支持部１５に当接すると、支持部１５は、接続部７を介して枠体５を支持し、接続部７は、プレート３と枠体５とを接続する。さらに、ナット４２を回転させると、枠体５が上方向Ｄ１に移動し、鍔部２１が取付板Ａの下面ＡＬに当接する。その結果、プレート３と鍔部２１とで取付板Ａが挟まれ、支持装置１が取付板Ａに取り付けられる。なお、上面ＡＵは、例えば、天井裏側の面であり、下面ＡＬは、例えば、室内側の面である。
【００２４】
次に、図２〜図７を参照して、プレート３について説明する。図２は、プレート３を下方から見たときの斜視図である。図３は、プレート３を下方から見たときの平面図である。
【００２５】
図２及び図３に示すように、プレート３は本体部９をさらに含む。本体部９は、略Ｃ字状であり、略板状である。本体部９は、略円弧状の外縁９ａと、略円弧状の内縁９ｂと、一対の端縁９ｃとを有する。外縁９ａは略Ｃ字状である。内縁９ｂは略Ｃ字状である。
【００２６】
一対の端縁９ｃのうちの一方の端縁９ｃは、外縁９ａの両端のうちの一方端から、内縁９ｂの両端のうちの一方端まで延びている。一対の端縁９ｃのうちの他方の端縁９ｃは、外縁９ａの両端のうちの他方端から、内縁９ｂの両端のうちの他方端まで延びている。
【００２７】
一対の端縁９ｃは、互いに対向するとともに離間している。そして、一方の端縁９ｃは、他方の端縁９ｃに向かって凸状に湾曲している。他方の端縁９ｃは、一方の端縁９ｃに向かって凸状に湾曲している。端縁９ｃの各々は、略曲線状である。
【００２８】
端縁９ｃの各々は、略弧状の第１縁１３ａと、略弧状の第２縁１３ｂとを含む。第１縁１３ａは、外縁９ａと第２縁１３ｂとの間に形成される。第２縁１３ｂは、内縁９ｂと第１縁１３ａとの間に形成される。第２縁１３ｂの曲率は、第１縁１３ａの曲率よりも小さい。
【００２９】
プレート３は、第１開口ＯＰ１と、第２開口ＯＰ２とを有する。具体的には、内縁９ｂは第１開口ＯＰ１を規定する。一対の端縁９ｃは第２開口ＯＰ２を規定する。第２開口ＯＰ２は、第１開口ＯＰ１に連通する。
【００３０】
プレート３は、複数の第１凸部１１（実施形態１では、４つの第１凸部１１）と、複数の第２凸部１２（実施形態１では、４つの第２凸部１２）とをさらに含む。
【００３１】
第１凸部１１は、本体部９に形成され、略板状である。具体的には、第１凸部１１は、図４に示すように、本体部９の下面９ｅから突出するように、本体部９から延びている。第１凸部１１は、本体部９に対して略直角を形成する。複数の第１凸部１１のうちの２つの第１凸部１１は、互いに対向し、他の２つの第１凸部１１は、互いに対向する。図２に示すように、複数の第１凸部１１は第１円周ＣＫ１上に配置される。図３に示すように、複数の第１凸部１１は、略円形状の取付孔Ｂ１の縁に沿って配置される。取付孔Ｂ１は、天井板のような取付板に形成される。第１凸部１１は、取付孔Ｂ１を規定する壁面ｂ１よりも、プレート３の径方向内側に配置される。
【００３２】
第２凸部１２は、本体部９に形成され、略板状である。具体的には、第２凸部１２は、図４に示すように、本体部９の下面９ｅから突出する。第２凸部１２は、本体部９に対して鋭角を形成するように、本体部９に対して傾斜している。複数の第２凸部１２は、それぞれ、複数の第１凸部１１に対向している。図２に示すように、複数の第２凸部１２は第２円周ＣＫ２上に配置される。図３に示すように、複数の第２凸部１２は、略円形状の取付孔Ｂ２の縁に沿って配置される。取付孔Ｂ２は、天井板のような取付板に形成される。取付孔Ｂ２の半径ｒ２（直径の例：２×ｒ２＝１５０ｍｍ）は取付孔Ｂ１の半径ｒ１（直径の例：２×ｒ１＝１２５ｍｍ）よりも大きい。第２凸部１２は、取付孔Ｂ２を規定する壁面ｂ２よりも、プレート３の径方向内側に配置される。
【００３３】
引き続き、図２及び図３を参照して、第１凸部１１と第２凸部１２とを関連付けて説明する。第２凸部１２は、本体部９の外縁９ａと第１凸部１１との間に配置される。プレート３の中心軸線ＡＸ１から第２凸部１２までの距離Ｒ２は、中心軸線ＡＸ１から第１凸部１１までの距離Ｒ１よりも長い。距離Ｒ２は第２円周ＣＫ２の半径Ｒ２を示し、距離Ｒ１は第１円周ＣＫ１の半径Ｒ１を示す。従って、第２円周ＣＫ２の半径Ｒ２は、第１円周ＣＫ１の半径Ｒ１よりも大きい。第１凸部１１は、内縁９ｂよりも、プレート３の径方向外側に配置される。第２凸部１２は、第１凸部１１よりも、プレート３の径方向外側に配置される。なお、中心軸線ＡＸ１は第１開口ＯＰ１の中心軸線を示す。
【００３４】
図４を参照して、引き続き、第１凸部１１及び第２凸部１２について説明する。図４は、第１凸部１１及び第２凸部１２を示す側面図である。図４では、図２及び図３に示す方向Ｄ４から、第１凸部１１及び第２凸部１２を見ている。また、図４では、説明の便宜のため、枠体５の鍔部２１を図示している。
【００３５】
図４に示すように、第１凸部１１及び第２凸部１２の各々は、本体部９から、枠体５の鍔部２１に向かって突出している。鍔部２１は本体部９の下方に配置される。第２凸部１２は、本体部９に対して鋭角θを形成するように、鍔部２１の側に傾斜している。
【００３６】
本体部９の下面９ｅと第２凸部１２の先端との間隔Ｈ２（以下、「第２突出長Ｈ２」と記載する。）は、本体部９の下面９ｅと第１凸部１１の先端との間隔Ｈ１（以下、「第１突出長Ｈ１」と記載する。）よりも短い。第２突出長Ｈ２は、例えば、第１突出長Ｈ１の略１／２である。換言すれば、第１突出長Ｈ１は、下面９ｅに略直交する方向に沿って、下面９ｅから第１凸部１１の先端までの長さを示す。第２突出長Ｈ２は、下面９ｅに略直交する方向に沿って、下面９ｅから第２凸部１２の先端までの長さを示す。
【００３７】
図５を参照して、第１凸部１１及び第２凸部１２によるプレート３の位置決めについて説明する。
【００３８】
図５（ａ）は、第１凸部１１により位置決めされたプレート３を示す断面図である。図５（ａ）に示すように、取付孔Ｂ１が取付板Ａに形成されている。プレート３を小径の取付孔Ｂ１に位置決めするときは、プレート３は、複数の第１凸部１１によって取付孔Ｂ１に位置決めされる。具体的には、複数の第１凸部１１が取付孔Ｂ１に入る。従って、取付孔Ｂ１の径方向へのプレート３の移動が、複数の第１凸部１１及び壁面ｂ１によって規制される。その結果、プレート３が取付孔Ｂ１に位置決めされる。この場合、複数の第２凸部１２は上面ＡＵに当接している。
【００３９】
図５（ｂ）は、第２凸部１２により位置決めされたプレート３を示す断面図である。図５（ｂ）に示すように、取付孔Ｂ２が取付板Ａに形成されている。プレート３を大径の取付孔Ｂ２に位置決めするときは、プレート３は、複数の第２凸部１２によって取付孔Ｂ２に位置決めされる。具体的には、複数の第２凸部１２が取付孔Ｂ２に入る。従って、取付孔Ｂ２の径方向へのプレート３の移動が、複数の第２凸部１２及び壁面ｂ１によって規制される。その結果、プレート３が取付孔Ｂ２に位置決めされる。
【００４０】
以下、取付孔Ｂ１及び取付孔Ｂ２を総称して、取付孔Ｂと記載する場合がある。
【００４１】
図５（ａ）及び図５（ｂ）を参照して説明したように、実施形態１によれば、取付孔Ｂの直径の大きさに応じて、第１凸部１１及び第２凸部１２のいずれかを選択できる。従って、第１凸部１１及び第２凸部１２のいずれかによって、取付孔Ｂの直径の大きさに応じて、プレート３を取付孔Ｂに適切に位置決めできる。つまり、プレート３に適合する取付孔Ｂの制約が大きくなることを抑制できる。
【００４２】
また、第２突出長Ｈ２は第１突出長Ｈ１よりも短い。従って、第２突出長Ｈ２が第１突出長Ｈ１に等しい場合及び第２突出長Ｈ２が第１突出長Ｈ１よりも長い場合と比較して、第１凸部１１を確実に取付孔Ｂ１に挿入できる。その結果、第１凸部１１を使用して、プレート３を小径の取付孔Ｂ１に更に適切に位置決めできる。
【００４３】
なお、第２突出長Ｈ２が第１突出長Ｈ１に等しい場合又は第２突出長Ｈ２が第１突出長Ｈ１よりも長い場合、上面ＡＵへの第２凸部１２の当接のために、第１凸部１１が小径の取付孔Ｂ１に十分に挿入され難い可能性がある。これらの場合でも、環境によっては、プレート３を取付孔Ｂ１に適切に位置決めすることは可能であるが、第２突出長Ｈ２を第１突出長Ｈ１よりも短くすることで、プレート３を取付孔Ｂ１に更に適切に位置決めできる。
【００４４】
さらに、第２突出長Ｈ２は第１突出長Ｈ１よりも短いため、第２突出長Ｈ２が第１突出長Ｈ１に等しい場合及び第２突出長Ｈ２が第１突出長Ｈ１よりも長い場合と比較して、プレート３の本体部９と取付板Ａの上面ＡＵとの間隙を狭くできる。従って、取付板Ａ及び支持装置１から照明器具を取り外すときに、照明器具の一部が間隙に入り込み難くできる。その結果、取付板Ａ及び支持装置１から照明器具を容易に取り外すことができる。
【００４５】
照明器具を容易に取り外すことができる具体例を説明する。照明器具は、支持装置１を介して、天井板としての取付板Ａに取り付けられる。照明器具は、電源別置型のダウンライトである。具体的には、照明器具は、光源を有する器具本体と、電源部とを備える。器具本体と電源部とは、取付板Ａの上面ＡＵに略平行な方向に、所定距離だけ離れて配置される。また、電源部の台部が上面ＡＵに設置される。台部は、上面ＡＵに略平行な平板状の接触部を有する。そして、接触部が上面ＡＵに接触している。
【００４６】
取付板Ａ及び支持装置１から照明器具を取り外す場合、取付板Ａの上面ＡＵに設置された電源部を取付孔Ｂ１から引っ張り出す必要がある。一方、第２突出長Ｈ２を第１突出長Ｈ１よりも短くして、本体部９と上面ＡＵとの間隙を狭くしている。従って、照明器具を取り外す場合、電源部の台部の接触部が間隙に引っ掛かり難くすることができる。その結果、取付板Ａ及び支持装置１から照明器具を容易に取り外すことができる。
【００４７】
なお、図５（ａ）に示すように、第２凸部１２が上面ＡＵに当接している場合に、図１に示すように、プレート３と枠体５とを接続部７により接続すると、接続部７による締め付けによって、第２凸部１２を本体部９の側に戻す力が、取付板Ａから第２凸部１２に作用し、第２凸部１２が弾性変形する。従って、接続部７による接続前と比較して、第２突出長Ｈ２は短くなる。その結果、本体部９と上面ＡＵとの間隙を更に狭くでき、台部の接触部が間隙に引っ掛かることを更に抑制できる。
【００４８】
また、プレート３は照明器具から荷重を受けるため、第２凸部１２を本体部９の側に戻す力が、取付板Ａから第２凸部１２に更に作用する。従って、照明器具の取付前と比較して、第２突出長Ｈ２は更に短くなる。その結果、本体部９と上面ＡＵとの間隙を更に狭くでき、台部の接触部が間隙に引っ掛かることを更に抑制できる。
【００４９】
図６を参照して、引き続き、プレート３について説明する。図６は、プレート３を上方から見たときの斜視図である。図６に示すように、本体部９の上面９ｄには、第１マーカー１６が付されている。実施形態１では、第１マーカー１６は、略三角形状であり、本体部９に刻印されている。第１マーカー１６は、支持装置１に照明器具を取り付けるときの目印である。
【００５０】
支持部１５の各々は、壁部６ａと、当接部６ｂと、２つの突出部６ｃと、２つのヘッド部６ｄと、第１切欠部６ｅとを含む。壁部６ａ、当接部６ｂ、突出部６ｃ、及びヘッド部６ｄは略板状である。
【００５１】
壁部６ａは、本体部９の上面９ｄから突出するように中心軸線ＡＸ１に沿って本体部９の内縁９ｂから延びている。壁部６ａは、本体部９に対して略直角を形成する。当接部６ｂは、壁部６ａの先端縁から中心軸線ＡＸ１に向かって、中心軸線ＡＸに略直交する方向に沿って延びている。当接部６ｂは、壁部６ａに対して略直角を形成する。
【００５２】
突出部６ｃは、当接部６ｂの上面から突出するように、中心軸線ＡＸ１に沿って延びている。突出部６ｃは、当接部６ｂに対して略直角を形成する。ヘッド部６ｄは、突出部６ｃの先端縁から、中心軸線ＡＸ１に略直交する方向に沿って延びている。ヘッド部６ｄの先端縁は湾曲している。ヘッド部６ｄは、突出部６ｃに対して略直角を形成する。一対の第１切欠部６ｅは、プレート３の所定周方向Ｄ５に向かって開口している。なお、所定周方向Ｄ５は、回転方向Ｄ２（図１）と反対方向である。
【００５３】
本体部９と当接部６ｂとヘッド部６ｄとは、互いに略面平行であり、水平線に略平行である。壁部６ａと突出部６ｃとは、鉛直線に略平行である。
【００５４】
図７を参照して、引き続き、支持部１５について説明する。図７（ａ）は、支持部１５を上方から見たときの平面図である。図７（ａ）では、説明の便宜のため、接続部７のボルト４１を図示している。ただし、ボルト４１の頭部は、図面の簡略化のため省略している。図７（ｂ）は、支持部１５を中心軸線ＡＸ１の側から見たときの側面図である。図７（ｂ）では、接続部７がプレート３と枠体５とを接続している。
【００５５】
図７（ａ）に示すように、第１切欠部６ｅは、係合縁８ａと、一対の対向縁８ｂとを含む。係合縁８ａにはボルト４１が係合する。一対の対向縁８ｂは互いに対向する。一対の対向縁８ｂは、それぞれ、係合縁８ａの両端から延びている。
【００５６】
図７（ａ）及び図７（ｂ）に示すように、一対の突出部６ｃのうちの一方の突出部６ｃは、一対の対向縁８ｂのうちの一方の対向縁８ｂに隣接している。他方の突出部６ｃは、他方の対向縁８ｂに隣接している。突出部６ｃの各々は、所定周方向Ｄ５において、当接部６ｂの前端に形成される。突出部６ｃの各々は、鍔部２１から離れるように、ボルト４１の長手方向に沿って、当接部６ｂから突出している。ボルト４１の長手方向は中心軸線ＡＸ１に略平行である。
【００５７】
一対のヘッド部６ｄは、係合縁８ａから離れるように、ボルト４１の長手方向に交差する方向（実施形態１では、ボルト４１の長手方向に略直交する方向）に沿って、それぞれ、一対の突出部６ｃの先端から延びている。
【００５８】
プレート３は第２切欠部１７をさらに含む。第２切欠部１７は支持部１５に隣接する。第２切欠部１７は、本体部９の内縁９ｂから外縁９ａに向かって本体部９に形成される。第２切欠部１７は、所定周方向Ｄ５において、支持部１５の前方に配置される。そして、第１切欠部６ｅは、第２切欠部１７の側に開口している。
【００５９】
次に、図８を参照して、接続部７について説明する。図８は、枠体５及び接続部７を上方から見たときの斜視図である。図８では、説明の便宜上、支持部１５を二点鎖線で示している。図８に示すように、一対の接続部７は互いに対向する。ボルト４１は、枠体５の中心軸線ＡＸ２に沿って枠体５から延びる。ボルト４１の長手方向に沿った側部は、ボルト４１の長手方向に交差する方向（実施形態１では、ボルト４１の長手方向に略直交する方向）から、支持部１５の第１切欠部６ｅに係合する。ボルト４１の長手方向は中心軸線ＡＸ２に略平行である。なお、中心軸線ＡＸ２は、筒部２２の中心軸線を示す。
【００６０】
ナット４２はボルト４１に螺合している。ナット４２は、例えば、時計回りの回転により、ボルト４１上を上方向に移動する。一方、ナット４２は、例えば、反時計回りの回転により、ボルト４１上を下方向に移動する。ナット４２は略円筒状である。ナット４２は、例えば、ローレットナットである。
【００６１】
次に、図８及び図９を参照して、枠体５について説明する。図８に示すように、枠体５は、一対の接続部７に対応して、一対の基部２８をさらに含む。一対の基部２８は互いに対向する。基部２８は、鍔部２１と筒部２２との境界に配置される。ボルト４１は、鍔部２１から離れるように、基部２８から延びている。
【００６２】
筒部２２は、略筒状（実施形態１では、略円筒状）であり、略円形状の開口ＯＰ３を有する。筒部２２は開口ＯＰ３を規定する。筒部２２は、鍔部２１の内縁から立設される。筒部２２は、一対の接続部７に対応して、一対の切欠部３０を含む。切欠部３０は、略Ｕ字状であり、接続部７に対向している。切欠部３０は、筒部２２の先端縁から基端縁に向かって形成されている。
【００６３】
図９（ａ）は、枠体５を示す断面図である。図９（ａ）では、説明の便宜のため、プレート３及び照明器具１００を２点鎖線で示している。図９（ｂ）は、枠体５を下方から見たときの平面図である。
【００６４】
図８及び図９（ａ）に示すように、鍔部２１は、略環状（実施形態１では、略円環状）であり、略板状である。従って、鍔部２１の外縁は略円形状である。
【００６５】
鍔部２１は、凸縁部２４と、隆起部２６と、凹部３２とを含む。凸縁部２４は、鍔部２１の外縁に沿って形成され、略円形状である。凸縁部２４は、鍔部２１の上面２１ａから突出している。上面２１ａは、鍔部２１の一対の主面のうち、プレート３の側の主面を示す。隆起部２６は、鍔部の上面２１ａから、筒部２２の外周面２２ａに沿って隆起している。隆起部２６の外縁は、略円形状である。
【００６６】
図９（ａ）及び図９（ｂ）に示すように、凹部３２は、鍔部２１の下面２１ｂから、筒部２２の基端に向かって凹んでいる。下面２１ｂは、鍔部２１の一対の主面のうち、プレート３の側の主面の反対の主面を示す。凹部３２は、平面視略円環状である。凹部３２には、プレート３の第１マーカー１６（図６）に対応して、第２マーカー３４が付されている。実施形態１では、第２マーカー３４は、略三角形状であり、凹部３２に刻印されている。第２マーカー３４は、支持装置１に照明器具１００を取り付けるときの目印である。
【００６７】
照明器具１００が筒部２２に挿入されると、照明器具１００の鍔部１０２が凹部３２に嵌る。鍔部１０２は略円環状である。なお、筒部２２は、プレート３の側に向かって延びている。
【００６８】
次に、図１０〜図１２を参照して、プレート３と枠体５と接続部７とを関連付けて説明する。図１０は、支持装置１を上方から見たときの斜視図である。図１１は、支持装置１を示す断面図である。図１２は、支持装置１を上方から見たときの平面図である。図１０及び図１２では、図面の簡略化のため、取付板Ａを省略している。また、図１２では、図面の簡略化のため、ボルト４１の頭部及びナット４２を省略している。
【００６９】
図１０及び図１１に示すように、接続部７のナット４２の下端４２ａは、支持部１５の当接部６ｂに当接する。下端４２ａは、ナット４２の長手方向の両端のうち、ボルト４１の先端から遠い端を示す。ナット４２を締め付けると、枠体５が上方向Ｄ１へ引き上げられ、プレート３の本体部９と枠体５の鍔部２１とが、取付板Ａを挟んで取付板Ａを強く締め付ける。その結果、支持装置１が取付板Ａに取り付けられる。この場合、鍔部２１の凸縁部２４が取付板Ａの下面ＡＬに当接する。
【００７０】
図１１及び図１２に示すように、枠体５の基部２８は、筒部２２の内周面２２ｂ（内面）よりも、筒部２２の中心軸線ＡＸ２から離れた規定位置Ｐに配置される。つまり、基部２８は、筒部２２の内周面２２ｂよりも、筒部２２の径方向外側に配置される。
【００７１】
接続部７のボルト４１は、筒部２２の内周面２２ｂよりも、中心軸線ＡＸ２から離れた規定位置Ｐから延びる。つまり、ボルト４１は、筒部２２の内周面２２ｂよりも、筒部２２の径方向外側に配置される。具体的には、中心軸線ＡＸ２とボルト４１との間の距離Ｌ１は、中心軸線ＡＸ２と筒部２２の内周面２２ｂとの間の距離Ｌ２よりも長い。
【００７２】
また、ボルト４１は、第１凸部１１よりも中心軸線ＡＸ２に近い規定位置Ｐから延びている。つまり、ボルト４１は、第１凸部１１よりも、筒部２２の径方向内側に配置される。具体的には、距離Ｌ１は、中心軸線ＡＸ２と第１凸部１１との間の距離Ｌ３よりも短い。
【００７３】
ナット４２は、筒部２２の内周面２２ｂに対して、中心軸線ＡＸ２の側に突出しないように、ボルト４１に螺合される。つまり、ナット４２は、筒部２２の内周面２２ｂよりも、筒部２２の径方向外側に配置される。なお、中心軸線ＡＸ２は中心軸線ＡＸ１と略一致する。
【００７４】
次に、図１３を参照して、支持装置１及び照明器具１００について説明する。図１３は、支持装置１及び照明器具１００を示す断面図である。
【００７５】
図１３に示すように、支持装置１の筒部２２が取付孔Ｂに挿入され、支持装置１は、取付板Ａに取り付けられている。そして、支持装置１は、照明器具１００を支持している。
【００７６】
照明器具１００は光を照射する。照明器具１００は、例えば、ダウンライトである。照明器具１００は、器具本体１０４と、電源部１０６と、複数の取付ばね１１０（実施形態１では、２つの取付ばね１１０）とを備える。
【００７７】
器具本体１０４は光源１０８を含む。光源１０８は、例えば、単数又は複数のＬＥＤ（Ｌｉｇｈｔ  Ｅｍｉｔｔｉｎｇ  Ｄｉｏｄｅ）を含む。また、器具本体１０４は略円環状の鍔部１０２を含む。電源部１０６は光源１０８に電力を供給する。その結果、光源１０８は点灯する。取付ばね１１０は、弾性を有する金属製であり、略Ｖ字状である。取付ばね１１０は器具本体１０４に固定される。
【００７８】
照明器具１００を筒部２２の開口ＯＰ３に挿入すると、取付ばね１１０が筒部２２の先端縁部に当接する。そして、取付ばね１１０の弾力によって、取付ばね１１０と鍔部１０２とで筒部２２が締め付けられる。その結果、照明器具１００が支持装置１に取り付けられ、支持装置１は照明器具１００を支持する。支持装置１は、取付板Ａに取り付けられているため、照明器具１００は、支持装置１を介して、取付板Ａに取り付けられる。
【００７９】
次に、図１４〜図１６を参照して、支持装置１を取付板Ａに取り付ける手順について説明する。図１４（ａ）、図１４（ｂ）、図１５（ａ）、図１５（ｂ）、図１６（ａ）、及び図１６（ｂ）は、支持装置１を取付板Ａに取り付ける手順を示す図である。
【００８０】
まず、図１４（ａ）に示すように、作業者は、プレート３の一方の端縁９ｃの側から、プレート３を上方向Ｄ１に向かって取付孔Ｂに挿入する。図１４（ａ）は、取付板Ａ及びプレート３を下方から見た斜視図を示している。
【００８１】
次に、図１４（ｂ）に示すように、作業者は、プレート３を、取付孔Ｂから、更に上方向Ｄ１に向かって挿入する。図１４（ｂ）は、取付板Ａ及びプレート３を上方から見た斜視図を示している。
【００８２】
次に、図１５（ａ）に示すように、作業者は、プレート３を取付板Ａの上面ＡＵに載置し、第１凸部１１又は第２凸部１２によって、プレート３を取付孔Ｂに位置決めする。図１５（ａ）では、プレート３は、第１凸部１１によって、取付孔Ｂに位置決めされている。
【００８３】
次に、作業者は、接続部７を固定した枠体５を取付孔Ｂの下方に移動させる。この場合、作業者は、ナット４２を緩めておく。つまり、ナット４２をボルト４１上で上方に移動させておく。
【００８４】
次に、作業者は、枠体５を上方向Ｄ１に向かって移動し、ナット４２の下端４２ａがヘッド部６ｄよりも上方に位置するまで、接続部７及び筒部２２を取付孔Ｂに挿入する。この場合、作業者は、接続部７を第２切欠部１７に対向させながら、接続部７を取付孔Ｂに挿入する。
【００８５】
その結果、図１５（ｂ）に示すように、接続部７が支持部１５及び第２切欠部１７に対向するように、筒部２２が取付孔Ｂに挿入される。具体的には、ボルト４１が、支持部１５及び第２切欠部１７に対向する。また、鍔部２１は取付板Ａの下面ＡＬに配置される。
【００８６】
次に、作業者は、ナット４２がヘッド部６ｄの上方を通り過ぎるまで、回転方向Ｄ２に枠体５を回転させる。そして、図１６（ａ）に示すように、作業者は、ボルト４１を第１切欠部６ｅに係合させる。
【００８７】
次に、作業者は、枠体５を下方向Ｄ３に移動させる。そして、図１６（ｂ）に示すように、ナット４２の下端４２ａは当接部６ｂに当接する。その結果、枠体５は、接続部７を介して支持部１５に支持される。つまり、枠体５は、枠体５の自重によって、支持部１５に吊り下がる。つまり、枠体５は、仮留めされる。
【００８８】
次に、作業者は、ナット４２を締め付ける。具体的には、ナット４２の鉛直方向に沿った位置は当接部６ｂによって一定であるため、ナット４２を締め付けると、枠体５が引き上げられる。従って、プレート３の本体部９と枠体５の鍔部２１とが、取付板Ａを強く締め付ける。その結果、支持装置１が取付板Ａに取り付けられる。
【００８９】
以上、図１〜図５を参照して説明したように、実施形態１に係る支持装置１よれば、第１凸部１１及び第２凸部１２を備えるため、取付孔Ｂの制約が大きくなることを抑制しつつ、プレート３を取付孔Ｂに適切に位置決めできる。
【００９０】
具体的には、図２〜図４を参照して説明したように、プレート３の第２凸部１２は、本体部９の外縁９ａと第１凸部１１との間に配置される。従って、図５（ａ）及び図５（ｂ）に示すように、小径の取付孔Ｂ１に対しては、第１凸部１１によってプレート３を位置決めでき、大径の取付孔Ｂ２に対しては、第２凸部１２によってプレート３を位置決めできる。換言すれば、従来よりも、プレート３に適合する取付孔Ｂが多く、取付孔Ｂの制約が大きくなることを抑制できる。
【００９１】
加えて、第１凸部１１を使用して、プレート３を小径の取付孔Ｂ１に適切に位置決めでき、第２凸部１２を使用して、プレート３を大径の取付孔Ｂ２に適切に位置決めできる。
【００９２】
加えて、図４、図５（ａ）、及び図５（Ｂ）を参照して説明したように、第２突出長Ｈ２は、第１突出長Ｈ１よりも短い。従って、第１凸部１１を取付孔Ｂ１に確実に挿入できるため、第１凸部１１によってプレート３を小径の取付孔Ｂ１に更に適切に位置決めできる。また、照明器具の一部が間隙に入り込むことを抑制できるため、取付板Ａ及び支持装置１から照明器具を容易に取り外すことができる。
【００９３】
また、図１〜図５を参照して説明したように、実施形態１によれば、４つの第１凸部１１と、４つの第２凸部１２とを設けている。ただし、２つの第１凸部１１と、２つの第２凸部１２とを設けてもよい。この場合でも、略円形状の取付孔Ｂに、プレート３を適切に位置決めできる。なお、２つの第１凸部１１と２つの第２凸部１２とを設けている場合でも、略四角形状の取付孔に、プレート３を位置決めできるが、４つの第１凸部１１と、４つの第２凸部１２とを設けることが好ましい。この場合、４つの第１凸部１１又は４つの第２凸部１２を、取付孔の４辺に対応させることができるため、略円形状の取付孔Ｂに限らず、略四角形状の取付孔にも、プレート３を適切に位置決めできる。
【００９４】
さらに、図３を参照して説明したように、実施形態１によれば、プレート３の一対の端縁９ｃは凸状に湾曲している。従って、一対の端縁が直線状であり、プレートの両端部が角部を有する場合と比較して、プレート３を取付孔Ｂに挿入するときに、プレート３が取付孔Ｂの周縁に突き当たることを抑制できる（図１４（ａ）、図１４（ｂ））。その結果、プレート３を容易に取付板Ａの上面ＡＵに配置できる。また、作業者は、プレート３を取付板Ａの上面ＡＵに片手で配置できる。
【００９５】
なお、一対の端縁が直線状であり、プレートの両端部が角部を有する場合に、プレートが取付孔Ｂの周縁に突き当たることを抑制するためには、一対の端縁の間隔を大きくする必要がある。一対の端縁の間隔を大きくすると、プレートの表面積が小さくなる。従って、プレートを取付板Ａの上面ＡＵに配置したときに、プレートと上面ＡＵとの接触面積が小さくなる。
【００９６】
しかしながら、実施形態１によれば、一対の端縁９ｃを凸状に湾曲させることによって、プレート３の表面積が小さくなることを抑制しつつ、プレート３が取付孔Ｂの周縁に突き当たることを抑制している。従って、プレート３を取付板Ａの上面ＡＵに配置したときに、プレート３と上面ＡＵとの接触面積が小さくなることを抑制できる（図１５（ａ））。その結果、プレート３の姿勢が安定し、ひいては、支持装置１に支持された照明器具１００の姿勢が安定する。
【００９７】
また、プレート３を取付孔Ｂに挿入するときは、端縁９ｃのうち、内縁９ｂ側の第２縁１３ｂが、外縁９ａ側の第１縁１３ａよりも、取付孔Ｂの周縁に接触し易い可能性がある。そこで、第２縁１３ｂの曲率を、第１縁１３ａの曲率よりも小さくしている。従って、実施形態１によれば、プレート３が取付孔Ｂの周縁に突き当たることを更に抑制できる。また、第１縁１３ａの曲率を大きくすることで、プレート３の表面積を更に大きくできる。その結果、プレート３の姿勢が更に安定し、ひいては、支持装置１に支持された照明器具１００の姿勢が更に安定する。
【００９８】
さらに、図６、図７（ａ）、図７（ｂ）、及び図１０を参照して説明したように、実施形態１によれば、ナット４２の下端４２ａが支持部１５の当接部６ｂに当接する。従って、図１６（ｂ）を参照して説明したように、枠体５を仮留めできる。従って、作業者が手を離しても、枠体５は落下しない。その結果、作業者は、枠体５を手で支えることなく、片手でナット４２を締め付けることができる。また、枠体５が仮留めされているため、作業者は、片手でナット４２を締め付けることができる。
【００９９】
さらに、図６、図７（ａ）、及び図７（ｂ）を参照して説明したように、実施形態１によれば、支持部１５の各々は突出部６ｃを含む。従って、枠体５が支持部１５に仮留めされている状態で（図１６（ｂ））、振動等に起因してボルト４１が動いたときでも、ナット４２が突出部６ｃに当接する。その結果、ボルト４１が支持部１５の第１切欠部６ｅから抜けることを抑制でき、ひいては、枠体５が落下することを抑制できる。
【０１００】
また、ナット４２を締め付け、支持装置１を取付板Ａに取り付けた後において、ナット４２が緩む場合がある。そして、振動等に起因して枠体５を回転させる力が、枠体５に作用する場合がある。この場合に、ボルト４１が動いたときでも、ナット４２が突出部６ｃに当接する。その結果、ボルト４１が支持部１５の第１切欠部６ｅから抜けることを抑制でき、ひいては、枠体５が落下することを抑制できる。
【０１０１】
さらに、図６、図７（ａ）、及び図７（ｂ）を参照して説明したように、実施形態１によれば、支持部１５の各々はヘッド部６ｄを含む。従って、作業者がナット４２を締め付けるときに（図１６（ｂ））、作業者の指が突出部６ｃに当たることを抑制できる。その結果、作業者はナット４２を容易に締め付けることができる。また、ヘッド部６ｄの先端縁は湾曲している。従って、ヘッド部が角部を有している場合と比較して、作業者の指がヘッド部６ｄに当たった場合でも、作業者は円滑にナット４２を締め付けることができる。
【０１０２】
さらに、図７（ａ）及び図７（ｂ）を参照して説明したように、実施形態１によれば、プレート３は第２切欠部１７を含む。従って、接続部７を取付孔Ｂに挿入するとき（図１５（ａ））、又はボルト４１を第１切欠部６ｅに係合させるとき（図１５（ｂ））、ナット４２がプレート３に接触することを抑制できる。その結果、接続部７によって、プレート３と枠体５とを容易に接続できる。
【０１０３】
さらに、図６及び図９（ｂ）を参照して説明したように、実施形態１によれば、プレート３に第１マーカー１６を設け、枠体５に第２マーカー３４を設けている。第１マーカー１６及び第２マーカー３４は、照明器具１００を支持装置１に取り付けるときの照明器具１００の向きを案内する。従って、作業者は、第２マーカー３４に従った向きで、照明器具１００を支持装置１に取り付ける。その結果、照明器具１００を容易に支持装置１に取り付けることができる。
【０１０４】
第１マーカー１６及び第２マーカー３４は、照明器具１００の種類に対応して設けられている。例えば、特定の形状又は機能を有する照明器具１００を支持装置１に取り付けるときには、照明器具１００を特定の方向に向けて取り付けないと、取り付けが困難になる場合がある。そこで、特定の方向を案内する第１マーカー１６及び第２マーカー３４を設けることで、作業者は、照明器具１００を容易に支持装置１に取り付けることができる。例えば、複数の照明器具１００の向きを揃えたり、複数の照明器具１００ごとに、照明器具１００の向きを設定したりする場合に、特定の方向を案内する第１マーカー１６及び第２マーカー３４を設けることで、作業者は、照明器具１００を所望の向きで容易に支持装置１に取り付けることができる。
【０１０５】
例えば、照明器具１００がセンサー（例えば、人感センサー又は照度センサー）を有する場合に、第１マーカー１６及び第２マーカー３４を設けて、照明器具１００の取付けの向きを案内することは効果的である。
【０１０６】
さらに、実施形態１によれば、図６に示すプレート３は、１枚の金属板を加工することにより成形できる。つまり、１枚の金属板に対して、孔を空けたり、切断したり、切り込みを入れたり、くり抜いたり、折り曲げたりすることによって、本体部９と、支持部１５と、第１凸部１１と、第２凸部１２と、第２切欠部１７とが一体成形される。従って、この場合、金属板の加工によって、バリが生じる可能性がある。バリとは、加工部分に生じる不要な突起のことである。
【０１０７】
例えば、折り曲げ加工の前では、本体部９と、支持部１５と、第１凸部１１と、第２凸部１２と、第２切欠部１７とは、略面一である。従って、支持部１５のヘッド部６ｄにバリが残っている場合、バリは下方に突起している。そこで、略直角の折り曲げ加工により、突出部６ｃを形成し、更に、略直角の折り曲げ加工により、ヘッド部６ｄを形成する。従って、プレート３が完成したときでも、ヘッド部６ｄのバリは下方に突起している。その結果、バリが側方に突起する場合と比較して、バリが、接続部７によって枠体５をプレート３に接続する作業の邪魔になることを抑制できる。なお、例えば、研磨処理を施すことにより、バリを除去することも可能である。
【０１０８】
さらに、図８を参照して説明したように、実施形態１によれば、枠体５をプレート３に接続する前に、ナット４２はボルト４１に螺合されている。さらに、枠体５をプレート３に接続する前に、ナット４２の螺合されたボルト４１は、枠体５に取り付けられ、枠体５から延びている。従って、枠体の筒部を取付孔Ｂに挿入した後にボルト及びナットを取り付ける場合と比較して、枠体５をプレート３に容易に接続できる。また、取付板Ａへの支持装置１の取付作業時に、ボルト４１及び／又はナット４２が紛失することを抑制できる。
【０１０９】
さらに、図８及び図１１を参照して説明したように、実施形態１によれば、枠体５には凸縁部２４が設けられる。凸縁部２４が、取付板Ａの下面ＡＬに当接するため、鍔部の上面が平坦である場合と比較して、鍔部２１と取付板Ａの下面ＡＬとの間の接触面積を小さくできる。従って、取付板Ａの下面ＡＬの表面状態（例えば、凸凹）の影響を受け難い。その結果、枠体５が、取付板Ａの下面ＡＬから浮き上がることを抑制できる。枠体５の浮き上がりを抑制することで、取付板Ａと枠体５との間の空気流通を抑えることができるので、支持装置１を室内に施工した場合に室内空間の気密性低下を抑制できる。
【０１１０】
さらに、図９（ａ）及び図９（ｂ）を参照して説明したように、実施形態１によれば、枠体５には、鍔部２１の下面２１ｂの側に凹部３２が設けられる。そして、凹部３２には、照明器具１００の鍔部１０２が嵌る。従って、照明器具１００が取付板Ａの下方の側に突出することが抑制される。その結果、支持装置１に照明器具１００を取り付けたときの美感を向上できる。
【０１１１】
さらに、図１１及び図１２を参照して説明したように、実施形態１によれば、ボルト４１は、筒部２２の内周面２２ｂよりも、中心軸線ＡＸ２から離れた規定位置Ｐから延びる。つまり、ボルト４１は、筒部２２の内周面２２ｂに対して、中心軸線ＡＸ２の側に突出しないように配置される。従って、照明器具１００を筒部２２の開口ＯＰ３に挿入するときに、照明器具１００が接続部７に接触することを抑制できる。その結果、照明器具１００を支持装置１に容易に取り付けることができる。
【０１１２】
また、ナット４２は、筒部２２の内周面２２ｂに対して、中心軸線ＡＸ２の側に突出しない。従って、照明器具１００を筒部２２の開口ＯＰ３に挿入するときに、照明器具１００が接続部７に接触することを更に抑制できる。その結果、照明器具１００を支持装置１に更に容易に取り付けることができる。
【０１１３】
さらに、ボルト４１は、第１凸部１１よりも中心軸線ＡＸ２に近い規定位置Ｐから延びている。従って、ボルト４１に螺合されているナット４２と開口ＯＰ３との間の距離は比較的短い。その結果、作業者の指がナット４２に届き易く、作業者はナット４２を容易に回すことができる。
【０１１４】
（変形例）
図８、図１０、及び図１７を参照して、本発明の実施形態１の変形例に係る支持装置１について説明する。図１７に示すように、変形例に係る支持装置１は、図１０に示す支持装置１の構成に加えて、パッキン５１をさらに備える。
【０１１５】
図１７（ａ）は、変形例に係る支持装置１のパッキン５１を示す斜視図である。図１７（ｂ）は、図１７（ａ）のＸＶＩＩＢ−ＸＶＩＩＢ線に沿った断面図である。
【０１１６】
図１７（ａ）に示すように、パッキン５１は、略円環状であり、弾性を有する樹脂製（例えば、ゴム製）である。パッキン５１は略円形状の開口ＯＰ４を有する。パッキン５１は、平面視略円形状の第１突起５２と、平面視略円形状の第２突起５３とを含む。
【０１１７】
図１７（ａ）及び図１７（ｂ）に示すように、第１突起５２は、パッキン５１の上面５４ａにおいて、パッキン５１の外縁に沿って形成される。第１突起５２は断面略三角形状である。第２突起５３は、パッキン５１の上面５４ａにおいて、第１突起５２と対向し、第１突起５２に対して所定間隔をおいて配置される。第２突起５３は断面略三角形状である。第２突起５３の半径は、第１突起５２の半径よりも小さい。
【０１１８】
図１７（ｂ）に示すように、パッキン５１は、凹部５５を有する。凹部５５は、パッキン５１の下面５４ｂに対して凹んでいる。凹部５５は、凹部５５を下方から見たときの平面視において、略円形状に形成されている。
【０１１９】
パッキン５１は、開口ＯＰ４を図８に示す枠体５の筒部２２に貫通させることによって、鍔部２１の上面２１ａに配置される。この場合、パッキン５１の凹部５５が、鍔部２１の凸縁部２４に嵌る。加えて、パッキン５１の開口縁が隆起部２６に当接する。その結果、パッキン５１が鍔部２１に対して適切に位置決めされる。
【０１２０】
以上、実施形態１の変形例によれば、パッキン５１を鍔部２１の上面２１ａに配置している。従って、取付板Ａの下面ＡＬと枠体５とを密着させることができ、下面ＡＬと枠体５とに隙間が発生することを抑制できる。その結果、取付板Ａの下面ＡＬと枠体５との隙間を通して、取付板Ａの上面ＡＵの側の空間（例えば、天井空間）と、取付板Ａの下面ＡＬの側の空間（例えば、室内空間）との間で、気体が流入及び／又は流出することを抑制できる。つまり、室内の気密性を向上できる。
【０１２１】
（実施形態２）
図１０及び図１８を参照して、本発明の実施形態２に係る支持装置１について説明する。実施形態２に係る支持装置１は、図１８（ａ）及び図１８（ｂ）に示すように、図１０に示すプレート３に代えて、プレート３Ａを備える。具体的には、実施形態２では、プレート３Ａの支持部１５Ａの各々が、１つの突出部６ｃと１つのヘッド部６ｄとを有する。これに対して、実施形態１では、プレート３の支持部１５の各々が、２つの突出部６ｃと２つのヘッド部６ｄとを有する。以下、実施形態２が実施形態１と異なる点を主に説明する。
【０１２２】
図１８（ａ）は、実施形態２に係るプレート３Ａを上方から見たときの斜視図である。図１８（ｂ）は、プレート３Ａの支持部１５Ａを上方から見たときの平面図である。
【０１２３】
図１８（ａ）及び図１８（ｂ）に示すように、プレート３Ａは複数の支持部１５Ａ（実施形態２では、２つの支持部１５Ａ）を含む。支持部１５Ａの各々は、１つの突出部６ｃと１つのヘッド部６ｄとを含む。また、支持部１５Ａの各々は、第１切欠部６ｅ、壁部６ａ、及び当接部６ｂをさらに含む。
【０１２４】
第１切欠部６ｅは、プレート３の所定周方向Ｄ５に向かって、末広がりとなるように、開口している。具体的には、第１切欠部６ｅは、係合縁８ａと、対向縁８ｂと、対向縁８ｃとを含む。対向縁８ｂと対向縁８ｃとは互いに対向する。対向縁８ｂ及び対向縁８ｃは、それぞれ、係合縁８ａの両端から延びている。対向縁８ｂは、対向縁８ｃよりも、プレート３の径方向内側に配置される。対向縁８ｃは、対向縁８ｂに対して傾斜している。突出部６ｃは、対向縁８ｂに隣接し、対向縁８ｃに対向している。
【０１２５】
以上、実施形態２によれば、プレート３の第１切欠部６ｅは、末広がりとなるように開口している。従って、ボルト４１を第１切欠部６ｅに容易に係合させることができる。また、ボルト４１を係合縁８ａに容易に位置決めできる。
【０１２６】
また、実施形態２に係る支持装置１は、実施形態１と同様に、第１凸部１１及び第２凸部１２を備えるため、取付孔Ｂの制約が大きくなることを抑制しつつ、プレート３を取付孔Ｂに適切に位置決めできる。その他、実施形態２は、実施形態１と同様の効果を有する。
【０１２７】
（実施形態３）
図１０、図１９、及び図２０を参照して、本発明の実施形態３に係る支持装置１について説明する。実施形態３に係る支持装置１は、図１９に示すように、図１０に示す枠体５に代えて、枠体５Ａを備える。具体的には、実施形態３に係る枠体５Ａが、略四角形状の外縁を有する点で、略円形状の外縁を有する実施形態１に係る枠体５と異なる。以下、実施形態３が実施形態１と異なる点を主に説明する。
【０１２８】
図１９は、実施形態３に係る枠体５Ａを上方から見たときの斜視図である。図２０は、枠体５Ａを下方から見たときの斜視図である。図１９及び図２０に示すように、枠体５Ａは鍔部２１Ａを含む。鍔部２１Ａは、略円形状の開口ＯＰ３を有し、略板状である。鍔部２１Ａの外縁は略四角形状である。
【０１２９】
鍔部２１Ａは凸縁部２４Ａを含む。凸縁部２４Ａは、鍔部２１Ａの外縁に沿って形成され、略四角形状である。凸縁部２４Ａは、鍔部２１Ａの上面２１ａから突出している。
【０１３０】
以上、実施形態３によれば、鍔部２１Ａの外縁は略四角形状である一方、隆起部２６の外縁は略円形状である。従って、略四角形状の取付孔にも、略円形状の取付孔Ｂにも、筒部２２及び隆起部２６を挿入できる。つまり、略四角形状の取付孔が形成された取付板にも、略円形状の取付孔Ｂが形成された取付板Ａにも、支持装置１を容易に取り付けることができる。ただし、隆起部２６の外径を、略四角形状の取付孔の最短辺よりも小さくするとともに、略円形状の取付孔Ｂの内径よりも小さくする。なお、隆起部２６を設けない場合は、筒部２２の外径を、略四角形状の取付孔の最短辺よりも小さくするとともに、略円形状の取付孔Ｂの内径よりも小さくする。
【０１３１】
例えば、取付孔が略四角形状である場合、鍔部の外縁を略円形状に形成すると、取付孔が鍔部で覆われず、取付孔が露出する場合がある。そこで、鍔部２１Ａの外縁を略四角形状に形成すると、略四角形状の取付孔の全体を覆うことができ、取付孔が露出することを抑制できる。ただし、鍔部２１Ａの外縁の各辺の長さを、略四角形状の取付孔の最長辺の長さよりも長くする。
【０１３２】
取付孔が略四角形状である場合、隆起部の外縁を略四角形状に形成しても、支持装置を容易に取付けることができる。しかしながら、隆起部を略四角形状に形成すると、略円形状の取付孔Ｂに支持装置１を取り付ける場合、取付孔Ｂのサイズによっては、取付孔Ｂに筒部及び隆起部を挿入することが困難な場合もある。
【０１３３】
そこで、鍔部２１Ａの外縁が略四角形状であっても、隆起部２６の外縁を略円形状に形成する。その結果、略円形状の取付孔Ｂを有する取付板Ａに支持装置１を取り付けることもできるし、略四角形状の取付孔の露出を抑制しつつ、略四角形状の取付孔を有する取付板に支持装置１を取り付けることもできる。
【０１３４】
また、実施形態３に係る支持装置１は、実施形態１と同様に、第１凸部１１及び第２凸部１２を備えるため、取付孔Ｂの制約が大きくなることを抑制しつつ、プレート３を取付孔Ｂに適切に位置決めできる。その他、実施形態３は、実施形態１と同様の効果を有する。
【０１３５】
（実施形態４）
図１０及び図２１を参照して、本発明の実施形態４に係る支持装置１について説明する。実施形態４に係る支持装置１は、図２１に示すように、図１０に示すプレート３に代えて、プレート３Ｂを備える。以下、実施形態４が実施形態１と異なる点を主に説明する。
【０１３６】
図２１は、実施形態４に係るプレート３Ｂを上方から見たときの斜視図である。図２１に示すように、プレート３Ｂは、本体部９Ａと、複数の第１凸部１１Ａ（実施形態４では、４つの第１凸部１１Ａ）と、複数の第２凸部１２Ａ（実施形態４では、４つの第２凸部１２Ａ）と、複数の支持部６２（実施形態４では、２つの支持部６２）とを含む。
【０１３７】
本体部９Ａは、略板状であり、略長方形状の外縁６４と、略円形状の内縁６５とを含む。プレート３Ｂは、略円形状の開口ＯＰ５を有する。内縁６５は開口ＯＰ５を規定する。
【０１３８】
本体部９Ａは、互いに対向する一対の短辺部６７と、互いに対向する一対の長辺部６８とを含む。長辺部６８の各々は、断面略Ｕ字状に折り返されている。その結果、プレート３Ｂに、方向Ｄ６に沿った撓みが発生することを抑制できる。なお、距離ｄ１が距離ｄ２よりも短いため、長辺部６８が折り返されていない場合は、方向Ｄ７に沿った撓みよりも、方向Ｄ６に沿った撓みが発生し易い。距離ｄ１は、長辺部６８と内縁６５との間の距離を示す。距離ｄ２は、短辺部６７と内縁６５との間の距離を示す。
【０１３９】
第１凸部１１Ａの構成及び配置は、実施形態１に係る第１凸部１１の構成及び配置と同様である。ただし、第１凸部１１Ａは、略板状であり、本体部９Ａの下面９ｅから突出する。また、第１凸部１１Ａは、本体部９Ａに対して鋭角を形成するように、本体部９に対して傾斜している。
【０１４０】
第２凸部１２Ａの構成及び配置は、実施形態１に係る第２凸部１２の構成及び配置と同様である。また、実施形態１と同様に、本体部９Ａの下面９ｅと第２凸部１２Ａの先端との間隔（第２突出長）は、本体部９Ａの下面９ｅと第１凸部１１Ａの先端との間隔（第１突出長）よりも短い。換言すれば、第１突出長は、下面９ｅに略直交する方向に沿って、下面９ｅから第１凸部１１Ａの先端までの長さを示す。第２突出長は、下面９ｅに略直交する方向に沿って、下面９ｅから第２凸部１２Ａの先端までの長さを示す。
【０１４１】
支持部６２は、実施形態１に係る支持部１５と同様に、接続部７を介して枠体５を支持する。ただし、実施形態４では、接続部７のボルト４１は頭部を有しない。従って、ボルト４１を支持部６２の孔部６６に貫通させた後に、ナット４２がボルト４１に螺合される。
【０１４２】
以上、実施形態４に係る支持装置１は、実施形態１と同様に、第１凸部１１Ａ及び第２凸部１２Ａを備えるため、取付孔Ｂの制約が大きくなることを抑制しつつ、プレート３を取付孔Ｂに適切に位置決めできる。
【０１４３】
以上、図面を参照しながら本発明の実施形態について説明した。但し、本発明は、上記の実施形態に限られるものではなく、その要旨を逸脱しない範囲で種々の態様において実施することが可能である（例えば、下記に示す（１）〜（１０））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【０１４４】
（１）実施形態１〜実施形態４において、取付板Ａに形成される取付孔の形状は、略円形状に限らず、任意の形状を有していてもよい。例えば、取付孔は、略楕円形状であってもよいし、略多角形状（例えば、略四角形状）であってもよい。
【０１４５】
（２）実施形態１及び実施形態３において、プレート３の本体部９の形状は、略Ｃ字状に限定されず、任意の形状であってもよい。例えば、プレート３の本体部９は、角張った略Ｃ字状であってもよい。また、プレート３の第１開口ＯＰ１の形状は、略円形状に限定されず、任意の形状であってもよい。例えば、第１開口ＯＰ１は、略楕円形状であってもよいし、略多角形状（例えば、略四角形状）であってもよい。また、第２開口ＯＰ２の形状も特に限定されない。
【０１４６】
（３）実施形態１及び実施形態３において、支持部１５を２つ設けたが、支持部１５の数は特に限定されない。例えば、支持部１５を３以上設けることもできる。
【０１４７】
（４）上記（２）及び（３）に記載したことは、実施形態２に係るプレート３Ａにも適用される。
【０１４８】
（５）実施形態１〜実施形態３において、第１凸部１１及び第２凸部１２の各々を４つ設けたが、第１凸部１１及び第２凸部１２の各々を、２以上の任意の数だけ設けることもできる。また、第１凸部１１と第２凸部１２とは、対向していたが、対向していなくてもよい。第１凸部１１及び第２凸部１２の形状は特に限定されない。
【０１４９】
（６）実施形態１〜実施形態３において、２種類の凸部（第１凸部１１及び第２凸部１２）を設け、互いに半径の異なる２つの円周（第１円周ＣＫ１及び第２円周ＣＫ２）上に配置した。ただし、３種類以上の凸部を設け、互いに半径の異なる３以上の円周上に配置することもできる。３種類以上の凸部を設ける場合、例えば、プレートの中心軸線から離れる程、凸部の突出長を短くする。
【０１５０】
（７）上記（５）及び（６）に記載したことは、実施形態４に係るプレート３Ｂにも適用される。
【０１５１】
（８）実施形態１〜実施形態４において、接続部７を２つ設けたが、接続部７の数は特に限定されない。例えば、接続部７を３以上設けることもできる。
【０１５２】
（９）実施形態１、実施形態２、及び実施形態４において、筒部２２の形状は、略円筒状に限定されない。例えば、筒部２２は、略角筒状（例えば、略四角筒状）であってもよい。また、鍔部２１の形状は、略円環状に限定されない。例えば、鍔部２１は、略角環状（例えば、略四角環状）であってもよい。また、鍔部２１の外縁の形状は、略円形状に限定されず、任意の形状であってよい。
【０１５３】
（１０）上記（９）に記載したことは、実施形態３に係る枠体５Ａにも適用される。
【産業上の利用可能性】
【０１５４】
本発明は、照明器具を支持する支持装置を提供するものであり、産業上の利用可能性を有する。
【符号の説明】
【０１５５】
１    支持装置
３、３Ａ、３Ｂ    プレート
５、５Ａ    枠体
６ａ    壁部
６ｂ    当接部
６ｃ    突出部
６ｄ    ヘッド部
６ｅ    第１切欠部
７    接続部
８ａ    係合縁
８ｂ、８ｃ    対向縁
９、９Ａ    本体部
９ａ    外縁
９ｂ    内縁
９ｃ    端縁
１１、１１Ａ    第１凸部
１２、１２Ａ    第２凸部
１５、１５Ａ    支持部
１７    第２切欠部
２１、２１Ａ    鍔部
２２    筒部
２４、２４Ａ    凸縁部
２６    隆起部
３２    凹部
４１    ボルト（棒状部材）
４２    ナット（螺合部材）
１００    照明器具
【図１】
0006706405.tif 000002
【図２】
0006706405.tif 000003
【図３】
0006706405.tif 000004
【図４】
0006706405.tif 000005
【図５】
0006706405.tif 000006
【図６】
0006706405.tif 000007
【図７】
0006706405.tif 000008
【図８】
0006706405.tif 000009
【図９】
0006706405.tif 000010
【図１０】
0006706405.tif 000011
【図１１】
0006706405.tif 000012
【図１２】
0006706405.tif 000013
【図１３】
0006706405.tif 000014
【図１４】
0006706405.tif 000015
【図１５】
0006706405.tif 000016
【図１６】
0006706405.tif 000017
【図１７】
0006706405.tif 000018
【図１８】
0006706405.tif 000019
【図１９】
0006706405.tif 000020
【図２０】
0006706405.tif 000021
【図２１】
0006706405.tif 000022